(57)【特許請求の範囲】
【請求項１】
第１の複数のバラクタダイオードを有する第１の共振構造と、
第２の複数のバラクタダイオードを有する第２の共振構造と
を有し、
前記第１の共振構造及び前記第２の共振構造は、少なくとも２つの直交共振モードを有する結合構造を形成するよう結合され、
前記結合構造は、誘導結合によって入力信号又はポンプ信号の一方を受信し、前記第１の共振構造及び／又は前記第２の共振構造へ前記入力信号又は前記ポンプ信号の他方を供給され、
第１の共振モードは、入力信号の第１の周波数で共振し、第２の共振モードは、ポンプ信号の第２の周波数で共振し、
前記ポンプ信号は、前記第１の周波数で前記入力信号を増幅すること、又は前記入力信号を前記第１の周波数よりも高い周波数へと混合及び増幅することのうちの１つのために使用される、平衡パラメトリック回路。
【請求項２】
前記結合構造は、前記第１の周波数及び前記第２の周波数の和である出力信号の第３の周波数で共振する第３の共振モードを有する、
請求項１に記載の平衡パラメトリック回路。
【請求項３】
前記第１の共振構造は、誘導ループ、キャパシタ、マイクロ波共振器、及びマイクロストリップ共振器のうちの１つを更に有する、
請求項１に記載の平衡パラメトリック回路。
【請求項４】
前記入力信号は、ＭＲＩ信号であり、
当該平衡パラメトリック回路は、前記ＭＲＩ信号を検出、増幅及び変換するよう前記第１の周波数にチューニングされる、
請求項１に記載の平衡パラメトリック回路。
【請求項５】
当該平衡パラメトリック回路は、ＭＲＩループコイルとして成形される、
請求項４に記載の平衡パラメトリック回路。
【請求項６】
当該平衡パラメトリック回路は、誘導結合を介して当該平衡パラメトリック回路に供給される前記ポンプ信号の前記第２の周波数にチューニングされる、
請求項１に記載の平衡パラメトリック回路。
【請求項７】
当該平衡パラメトリック回路は、前記ポンプ信号及び出力信号のうちの少なくとも１つのためのコプレーナ伝送路を更に有する、
請求項１に記載の平衡パラメトリック回路。
【請求項８】
当該平衡パラメトリック回路は、信号を受信及び／又は送信するアンテナとなる、
請求項１に記載の平衡パラメトリック回路。
【請求項９】
第１の周波数で入力信号を受信する信号捕捉配置と、
第２の周波数でポンプ信号を生成する信号生成部と、
平衡パラメトリック回路と
を有し、
前記平衡パラメトリック回路は、
第１の複数のバラクタダイオードを有する第１の共振構造と、
第２の複数のバラクタダイオードを有する第２の共振構造と
を有し、
前記第１の共振構造及び前記第２の共振構造は、少なくとも２つの直交共振モードを有する結合構造を形成するよう結合され、
前記結合構造は、誘導結合によって入力信号又はポンプ信号の一方を受信し、前記第１の共振構造及び／又は前記第２の共振構造へ前記入力信号又は前記ポンプ信号の他方を供給され、
第１の共振モードは、入力信号の第１の周波数で共振し、第２の共振モードは、ポンプ信号の第２の周波数で共振し、
前記ポンプ信号は、前記第１の周波数で前記入力信号を増幅すること、又は前記入力信号を前記第１の周波数よりも高い周波数へと混合及び増幅することのうちの１つのために使用される、システム。
【請求項１０】
前記結合構造は、前記第１の周波数及び前記第２の周波数の和である出力信号の第３の周波数で共振する第３の共振モードを有する、
請求項９に記載のシステム。
【請求項１１】
前記第１の共振構造は、誘導ループ、キャパシタ、マイクロ波共振器、及びマイクロストリップ共振器のうちの１つを更に有する、
請求項９に記載のシステム。
【請求項１２】
前記入力信号は、ＭＲＩ信号であり、
前記平衡パラメトリック回路は、前記ＭＲＩ信号を検出、増幅及び変換するよう前記第１の周波数にチューニングされる、
請求項９に記載のシステム。
【請求項１３】
前記平衡パラメトリック回路は、ＭＲＩループコイルとして成形される、
請求項１２に記載のシステム。
【請求項１４】
前記平衡パラメトリック回路は、誘導結合を介して前記平衡パラメトリック回路に供給される前記ポンプ信号の前記第２の周波数にチューニングされる、
請求項９に記載のシステム。
【請求項１５】
前記平衡パラメトリック回路は、前記ポンプ信号及び出力信号のうちの少なくとも１つのためのコプレーナ伝送路を更に有する、
請求項９に記載のシステム。
【請求項１６】
前記平衡パラメトリック回路は、信号を受信及び／又は送信するアンテナとなる、
請求項９に記載のシステム。
【発明の詳細な説明】
【背景技術】
【０００１】
パラメトリック増幅器は、高周波増幅器として定義されてよく、動作は、リアクタンスのようなパラメータにおける時間変化に基づき、交流の周波数でのエネルギを入力信号周波数でのエネルギに変換して信号を増幅する。従来のトランジスタベースの低雑音増幅器の大部分は直流（ＤＣ）電源を必要とし、そのゲインは、通常は横ばい状態であり、そのノイズ係数は低い。対照的に、パラメトリック増幅器は、ＤＣではないが、増幅されるべき信号よりも低いか又は高い、あるいは、それと同じ周波数であることができる、交流源から転送されたエネルギ（ポンプ信号）によって動作する。例えば、信号の周波数よりも低い周波数にある局所発振器により（例えば、ＬＳＢＤＣ（Lower  Side  Band  Down  Converter）により）パラメトリック増幅を生成することが可能である。加えて、パラメトリック増幅は、より高い周波数にある局所発振器（例えば、ＵＳＢＵＳ（Upper  Side  Band  Up  Converter））によっても生成され得る。然るに、パラメトリック増幅器は、非線形エネルギ散逸要素よりむしろ非線形エネルギ蓄積要素のそれらによる使用において、従来のトランジスタ増幅器とは異なる。加えて、パラメトリック増幅器は、外部から印加された無線周波数（ＲＦ）磁場から電力を取得してよい。ポンプ信号は、弱信号を同じ周波数で増幅するために、又は信号をより高い周波数へと混合及び増幅するために、使用されてよい。
【図面の簡単な説明】
【０００２】
【図１】二重平衡ミキサ回路内の平衡システムの典型的な実施を示す（モデル１００）。
【図２Ａ】ここで記載される例となる実施形態に従って、３つの直交モードを有するモード平衡パラメトリック増幅器のための簡略化された構造を示す（モデル２１０）。
【図２Ｂ】ここで記載される例となる実施形態に従って、３つの直交モードを有するモード平衡パラメトリック増幅器のための簡略化された構造を示す（モデル２２０）。
【図２Ｃ】ここで記載される例となる実施形態に従って、３つの直交モードを有するモード平衡パラメトリック増幅器のための簡略化された構造を示す（モデル２３０）。
【図２Ｄ】ここで記載される例となる実施形態に従って、３つの直交モードを有するモード平衡パラメトリック増幅器のための簡略化された構造を示す（モデル２４０）。
【図３Ａ】ここで記載される例となる実施形態に従って、モード平衡パラメトリック増幅をＭＲＩ信号に適用する簡略化された構造を示す（モデル３１０）。
【図３Ｂ】ここで記載される例となる実施形態に従って、モード平衡パラメトリック増幅をＭＲＩ信号に適用する簡略化された構造を示す（モデル３２０）。
【図３Ｃ】ここで記載される例となる実施形態に従って、モード平衡パラメトリック増幅をＭＲＩ信号に適用する簡略化された構造を示す（モデル３３０）。
【図３Ｄ】ここで記載される例となる実施形態に従って、モード平衡パラメトリック増幅をＭＲＩ信号に適用する簡略化された構造を示す（モデル３４０）。
【図３Ｅ】ここで記載される例となる実施形態に従って、モード平衡パラメトリック増幅をＭＲＩ信号に適用する簡略化された構造を示す（モデル３５０）。
【図３Ｆ】ここで記載される例となる実施形態に従って、モード平衡パラメトリック増幅をＭＲＩ信号に適用する簡略化された構造を示す（モデル３６０）。
【図３Ｇ】ここで記載される例となる実施形態に従って、モード平衡パラメトリック増幅をＭＲＩ信号に適用する簡略化された構造を示す（モデル３７０）。
【図４】ここで記載される例となる実施形態に従って、簡略化された構造を平衡パラメトリック増幅器として使用されるよう例となる３つのモードの間の分離を調整する方法の例を示す（方法４００）。
【発明を実施するための形態】
【０００３】
医用画像の分野内で、パラメトリック増幅は、磁気共鳴撮像（ＭＲＩ）信号の検出のための方法として考えられている。パラメトリック増幅器は、一方の周波数にある電力を他の周波数にある電力へと変換するために、バラクタダイオードのような非線形リアクティブ素子の使用を通じてそれらの信号を増幅するために使用されてよい。混合プロセスは理想的には抵抗損失を伴わないので、パラメトリック増幅器は極めて低雑音のデバイスとして働くことができる。
【０００４】
パラメトリック増幅の間、周波数Ｆｓにある入力信号は、周波数Ｆｐにあるポンプ信号と混合される。出力信号は、何らかの周波数Ｎ・Ｆｓ＋Ｍ・Ｆｐで捕捉されてよい。従来のパラメトリック・アップ・コンバータでは、通常は、Ｆｓ＋Ｆｐが出力信号として選択される。電力利得は、ポンプ信号から出力信号へエネルギを移動させることによって達成される。これは、利得が供給ラインからエネルギを移動させることで達成される従来の増幅器とは異なる。パラメトリック増幅器の最大利得及び最低雑音指数のために、Ｆｓ、Ｆｐ及びＦｓ＋Ｆｐでの３つの信号が互いから適切に分離されること、及び他の全ての周波数生成物が最小の損失を伴って受け身的に終端されることが有利である。
【０００５】
３つの信号Ｆｓ、Ｆｐ及びＦｓ＋Ｆｐは異なる周波数にあるから、区別及び分離はフィルタにより達成されてよい。なお、ポンプ信号は、通常は、Ｆｓにある入力信号及びＦｓ＋Ｆｐにある所望の出力信号の両方よりもずっと振幅が大きいので、そのようなフィルタは、高い分離を提供する必要がある。然るに、それらのフィルタに高い次数を有するよう求めることは、パラメトリック増幅器における有意な損失を引き起こし得る。
【０００６】
この問題に対する潜在的な解決法は、３つの信号の間の自然な分離を提供する平衡システムを構築することである。その場合に、信号間の残留クロストークは、有意により低い損失を有する低次フィルタにより除去されてよい。例えば、そのような平衡システムの典型的な実施は、二重平衡ミキサ回路から達成されてよい。図１は、パラメトリック増幅に実装される二重平衡ミキサ回路（モデル１００）の概念の実例を提供する。
【０００７】
図１において、回路は、入力部１を介して平衡周波数ミキサ３に供給される第１の入力周波数（ｆ１）を有する第１の入力信号（Ｉ１）を有する。第２の入力周波数（ｆ２）を有する第２の入力信号（Ｉ２）は、入力部２を介して平衡周波数ミキサ３に供給される。平衡周波数ミキサ３は、入力信号Ｉ１及びＩ２を混合信号Ｍに混合するキャパシタ１２及び少なくとも２つの増幅器素子５を有してよい。混合信号（Ｍ）は、第１の成分周波数（Ｆ１）を示す第１の信号成分（Ｍ１）と、第２の成分周波数（Ｆ２）を示す第２の信号成分（Ｍ２）とを含む。第１の成分周波数（Ｆ１）は、２つの入力周波数（ｆ１，ｆ２）の和に等しく、第２の成分周波数（Ｆ２）は、２つの入力周波数（ｆ１，ｆ２）の和に等しい。混合信号（Ｍ）は、出力部７へ続く出力線６に供給される。出力部７で、出力信号（Ａ）が捕捉される。出力信号（Ａ）は、混合信号（Ｍ）の２つの信号成分（Ｍ１，Ｍ２）のうちの少なくとも１つを有する。
【０００８】
例となる増幅器素子５は、第１の入力信号Ｉ１を内在的に増幅するバラクタダイオードであってよい。従って、ミキサ回路は、バラクタダイオードの他に更なる増幅器を有さなくてよい。加えて、外部から、例えば、第２の入力信号Ｉ２を生成する、第２の入力部２へ接続された信号生成器８から、第２の入力信号Ｉ２を供給することが可能である。
【０００９】
平衡周波数ミキサ３は、第１の周波数で入力信号を受信する信号捕捉配置４と、第２の周波数でポンプ信号を生成する信号生成器８とを更に有してよい。加えて、平衡周波数ミキサ３の平衡は、例えば、複数のリピータ１３を介して、達成される。
【００１０】
以下でより詳細に記載されるように、例となる平衡パラメトリック増幅器は、少なくとも２つの直交モードを構造において提供される。構造の例となる共振モードのいずれかはまた、信号を受信又は送信するアンテナとなることができる。例となるモードの夫々についての共振周波数は、入力信号（例えば、入力周波数ｆｓ）、ポンプ信号（例えば、入力周波数ｆｐ）及び出力信号（例えば、出力周波数ｆｓ＋ｆｐ）のような、パラメトリック増幅に関わる信号の周波数へと調整される。それらのモードは非線形リアクタンスを共有し、一方、それらのモードは別なふうに分断されてよい。
【００１１】
例となる実施形態は、モード平衡パラメトリック増幅器のためのシステムに係る。一実施形態は、第１の複数のバラクタダイオードを有する第１の共振構造と、第２の複数のバラクタダイオードを有する第２の共振構造とを有し、前記第１の共振構造及び前記第２の共振構造は、少なくとも２つの直交共振モードを有する結合構造を形成するよう結合され、第１の共振モードは、入力信号の第１の周波数で共振し、第２の共振モードは、ポンプ信号の第２の周波数で共振し、前記ポンプ信号は、前記第１の周波数で前記入力信号を増幅すること、又は前記入力信号を前記第１の周波数よりも高い周波数へと混合及び増幅することのうちの１つのために使用される、平衡パラメトリック回路に係る。
【００１２】
更なる実施形態は、第１の周波数で入力信号を受信する信号捕捉配置と、第２の周波数でポンプ信号を生成する信号生成部と、平衡パラメトリック回路とを有し、前記平衡パラメトリック回路は、第１の複数のバラクタダイオードを有する第１の共振構造と、第２の複数のバラクタダイオードを有する第２の共振構造とを有し、前記第１の共振構造及び前記第２の共振構造は、少なくとも２つの直交共振モードを有する結合構造を形成するよう結合され、第１の共振モードは、入力信号の第１の周波数で共振し、第２の共振モードは、ポンプ信号の第２の周波数で共振し、前記ポンプ信号は、前記第１の周波数で前記入力信号を増幅すること、又は前記入力信号を前記第１の周波数よりも高い周波数へと混合及び増幅することのうちの１つのために使用される、システムに係る。
【００１３】
例となる実施形態は更に、例となる実施形態に関する以下の説明及び関連する添付の図面を参照して理解され得る。なお、同じ要素は同じ参照符号を付されている。例となる実施形態は、あらゆる数の用途のための簡略化された構造におけるモード平衡パラメトリック増幅器のためのシステム及び方法に係る。例えば、例となるシステム及び方法は、ＭＲＩループコイルのような、ＭＲＩ用途において使用され得る。然るに、例となる実施形態は、例えば、パラメトリック・アップ・コンバータ又はパラメトリック・ダウン・コンバータとして使用されてよい。更なる用途には、介入性の又は埋込型のコイル、平衡ダイオードミキサ、パラメトリック増幅が重要であるあらゆる他の分野が含まれてよい。
【００１４】
ＭＲＩ装置は、無線周波数（ＲＦ）アンテナからの回転磁場と組み合わせて、超電導磁石からの強力な一定磁場を利用する。一定磁場は、傾斜コイルから生成される傾斜場によって変更される。回転磁場は、断層画像を形成するために使用される短期ＲＦ信号を生成する体内の核磁気共鳴を励起する。ＭＲＩ装置は、最大限の信号対雑音比（ＳＮＲ）によりＲＦを受信するよう標的（例えば、患者）に近接して設置された局所コイルのアレイを使用する。
【００１５】
ＭＲＩ装置は、標的の近くにある局所コイルから受信器へ、続いて画像処理ユニットへ信号を搬送することができる同軸ケーブルを使用する。代替的に、ＭＲＩ装置は、低雑音パラメトリック・アップ・コンバータに基づく無線コイルシステムを利用してよい。局所コイルユニットは、信号利得のために必要とされる電力と、アップコンバージョンのための周波数及び位相基準とを提供することができるマイクロ波局所発振場によって照射されてよい。
【００１６】
以下でより詳細に記載されるように、それらの例となるシステム及び方法は、例えば、図２Ａに示されるような、簡略化された構造（モデル２１０）を使用することができる。具体的に、構造は、バラクタダイオード２１３及びキャパシタ２１５を有する共振構造２１２，２１４により構成される平衡パラメトリックシステム２１１を特徴とする。２又はそれ以上の共振構造２１２，２１４をキャパシタ２１５を介して互いに結合することによって、新たな結合構造は作られ、それは２又はそれ以上の共振モードを有する。然るに、それらのモードは、その場合に、それらが互いから分断されるように調整されてよい。
【００１７】
図２Ｂ乃至２Ｄは、それらの例となる共振モードを表す。具体的に、図２Ｂ（モデル２２０）は、入力周波数ｆｓで共振するモード＃１を表し、図２Ｃ（モデル２３０）は、ポンプ周波数ｆｐで共振するモード＃２を表し、図２Ｄ（モデル２４０）は、出力周波数ｆｓ＋ｆｐで共振するモード＃３を表す。
【００１８】
小さい信号振幅に関し、全ての３つのモード（１，２及び３）は適切に分離される。しかしながら、ポンプ信号が増大し、それによりバラクタダイオード２１３がそれらのキャパシタンスをポンプ信号の周波数とともに変更し始める場合は、混変調が起こる。言い換えると、入力信号はポンプ信号により変調され、周波数ｆｓ＋ｆｐでの生成物はモード＃３に結合し、その具体的な周波数にチューニングされる。
【００１９】
例となる実施形態に従って、共振構造は、誘導ループを有する従来の共振器と、バラクタダイオード２１３及びキャパシタ２１５との組み合わせであってよい。加えて、共振構造２１２，２１４は、より高い周波数のためのマイクロ波及びマイクロストリップ共振器を更に有してよい。例えば、図２Ｂ（モデル２２０）のモード＃１がＭＲＩコイルとしても働く場合は、共振構造２１２，２１４は典型的なＭＲＩループコイルとして成形される。具体的に、それらのループコイルのうちの２つを互いの近くに置くことによって、コプレーナマイクロストリップ伝送路が作られ、ポンプ信号及び出力信号のために使用されてよい。
【００２０】
ここで論じられる実施形態は、ＭＲＩのような医療撮像プロトコルを推奨することに係るが、当業者であれば、モード平衡パラメトリック増幅のためのそのような例となるシステム及び方法は、パラメトリック増幅が重要であるあらゆる他の分野、例えば、平衡ダイオードミキサ、介入性及び埋込型のコイル、等において使用され得ると理解するであろう点が、留意されるべきである。加えて、例となるシステム及び方法は、３つの共振モードに制限されず、あらゆる数のモードを利用してよい。
【００２１】
図３Ａ乃至３Ｇは、ここで記載される例となる実施形態に従って、モード平衡パラメトリック増幅をＭＲＩ信号に適用するための簡略化された構造２１１を示す。例えば、図２Ｂ（モデル２２０）のモード＃１がｆｓにチューニングされ、ｆｓがＭＲＩ信号の周波数に相当する場合は、パラメトリック増幅器構造２１１はＭＲＩ信号を直接検出し、増幅し、変換することができる。代替的に、モード＃１は、ポンプ周波数にチューニング可能であり、ポンプ信号が、誘導結合を介してパラメトリック増幅器２１１に供給され得る。
【００２２】
図３Ａ（モデル３１０）において、パラメトリック増幅器構造２１１のモード＃１は、ｆｓにチューニングされてよい。このとき、ｆｓはＭＲＩ信号の周波数に相当する。具体的に、パラメトリック増幅器構造２１１は、最初に、ＭＲＩ信号（ｆｓ）を検出する。検出すると、構造２１１は、特定のポンプ周波数（ｆｐ）でＭＲＩ信号（ｆｓ）を増幅する。ＭＲＩ信号とポンプ周波数との結合（ｆｓ＋ｆｐ）は、次いで、変換された出力ＭＲＩ信号となってよい。
【００２３】
図３Ｂ（モデル３２０）において、パラメトリック増幅器構造２１１のモード＃１は、ｆｐにチューニングされてよい。このとき、ｆｐはポンプ周波数に相当する。具体的に、パラメトリック増幅器構造２１１は、最初に、誘導結合を介して構造２１１に供給されるポンプ周波数（ｆｐ）を検出する。検出すると、構造２１１は、次いで、ＲＦアンテナを介して受信されるＭＲＩ信号の周波数（ｆｓ）でポンプ周波数（ｆｐ）を増幅する。ポンプ周波数とＭＲＩ信号との結合（ｆｐ＋ｆｓ）は、次いで、変換された出力ＭＲＩ信号となってよい。
【００２４】
図３Ｃ（モデル３３０）は、ＭＲＩ信号とポンプ周波数との結合（ｆｓ＋ｆｐ）の例となる周波数値が、次いで、図３Ａ（モデル３１０）で論じられた変換された出力ＭＲＩ信号となることを表す。この例では、ＭＲＩ信号の周波数（ｆｓ）は１２８ＭＨｚであり、一方、ポンプ周波数（ｆｐ）は８００ＭＨｚである。１２８ＭＨｚでＭＲＩ信号を検出すると、パラメトリック増幅器２１１は、その信号を８００ＭＨｚのポンプ周波数によって増幅して、９２８ＭＨｚの出力信号（ｆｓ＋ｆｐ）を生成してよい。
【００２５】
図３Ｄ（モデル３４０）は、ポンプ周波数とＭＲＩ信号との結合（ｆｐ＋ｆｓ）の例となる周波数値が、次いで、図３Ｂ（モデル３２０）で論じられた変換された出力ＭＲＩ信号となることを表す。然るに、パラメトリック増幅器２１１は、８００ＭＨｚのポンプ周波数（ｆｐ）にチューニングされ、１２８ＭＨｚのＭＲＩ信号を適用して９２８ＭＨｚの出力信号（ｆｐ＋ｆｓ）を生成してよい。
【００２６】
図３Ｅ（モデル３５０）は、１２８ＭＨｚの検出されたＭＲＩ信号の周波数を有する第１の信号（ｆｓ）を表す。図３Ｆ（モデル３６０）は、８００ＭＨｚの増幅されたポンプ信号の周波数を有する第２の信号（ｆｐ）を表す。図３Ｇ（モデル３７０）は、９２８ＭＨｚの出力信号の周波数を有する第３の信号（ｆｓ＋ｆｐ）を表す。
【００２７】
図４は、ここで記載される例となる実施形態に従って、簡略化された構造を平衡パラメトリック増幅器２１１として使用するよう例となる３つのモードの間の分離を調整する方法の例（方法４００）を示す。方法は、先に参照された図において説明された簡略化された構造を参照して論じられる点が、留意されるべきである。
【００２８】
ステップ４１０から開始すると、平衡パラメトリック増幅器２１１は、少なくとも２つの直交するモードを有する回路において設置される。具体的に、２又はそれ以上の共振構造２１２，２１４を互いに結合することによって、少なくとも２つの共振モードを有する新たな回路が作られる。例えば、例となる回路は３つの共振モードを有してよく、３つのモードのうちのいずれかは、信号を受信又は送信するアンテナとしても働いてよい。加えて、モードの夫々は共振周波数を示す。
【００２９】
ステップ４２０で、３つの共振モードの間の分離は、モードを互いから分断するよう調整される。具体的に、分離は、モードの共振周波数を所望の周波数信号にチューニングすることによって、調整される。例えば、モード＃１は、入力信号の周波数で共振し、モード＃２は、ポンプ信号の周波数で共振し、モード＃３は、出力信号の周波数で共振する。
【００３０】
ステップ４３０で、ポンプ信号は、バラクタダイオード２１３がそれらのキャパシタンスをポンプ信号の周波数により変更するように増大し、それにより混変調を生じさせる。
【００３１】
ステップ４４０で、入力信号はポンプ信号により変調され、生成された出力周波数は、共振モード＃３に結合し、その特定の周波数にチューニングされる。
【００３２】
当業者ならば、以上の説明から、例となる実施形態は、ユーザが、例えば、パラメトリック・アップ・コンバータ又はパラメトリック・ダウン・コンバータを調整することによって、ＭＲＩコイルを調整することによって、例となる方法を平衡ダイオードミキサに適用することによって、等、システム及び方法を実施する場合に、プロセッシング装置がより有効に動作することを可能にすると理解するであろう。加えて、例となる共振構造は、誘導ループを有する共振器、バラクタダイオード２１３及びキャパシタ２１５、マイクロ波及びマイクロストリップ共振器（例えば、より高い周波数のため、等）の如何なる組み合わせであってもよい。
【００３３】
特許請求の範囲は、ＰＣＴ規則６．２（ｂ）に従って参照符号／数字を含むことがある。しかしながら、特許請求の範囲は、参照符号／番号に対応する例となる実施形態に制限されると見なされるべきではない。
【００３４】
当業者には当然ながら、様々な変更が、本発明の趣旨又は適用範囲から逸脱することなしに、本発明において為されてよい。よって、本発明は、本発明の変更及び変形が添付の特許請求の範囲及びその均等の範囲内にあるとして、それらを包含するよう意図される。
【図１】
0005873956.tif 000002
【図２Ａ】
0005873956.tif 000003
【図２Ｂ】
0005873956.tif 000004
【図２Ｃ】
0005873956.tif 000005
【図２Ｄ】
0005873956.tif 000006
【図３Ａ】
0005873956.tif 000007
【図３Ｂ】
0005873956.tif 000008
【図３Ｃ】
0005873956.tif 000009
【図３Ｄ】
0005873956.tif 000010
【図３Ｅ】
0005873956.tif 000011
【図３Ｆ】
0005873956.tif 000012
【図３Ｇ】
0005873956.tif 000013
【図４】
0005873956.tif 000014